(57)【要約】【課題】日常的な動作により与えられる加速度パターンによる誤動作を防止する。【解決手段】加速度パターン記憶部に誤動作防止用の加速度パターンを格納する自動登録パターン格納領域を設ける。そして、日常生活中の加速度パターンを自動的に検出し、この領域に登録する。本発明が適用された携帯端末は、この自動登録パターン格納領域に格納された加速度パターンと類似した加速度パターンが与えられた場合には、入力された加速度パターンを無視する。【選択図】      図１
2008117056.tif 000002
【特許請求の範囲】
【請求項１】
加速度センサを備えた携帯端末であって、
前記加速度センサから入力加速度パターンを得る加速度情報検出部と、
自動登録パターン記憶領域と、加速度パターンと操作内容を示す情報とを蓄積する手動登録パターン記憶領域とを含む加速度パターン記憶部と、
入力加速度パターンと指定された操作内容を示す情報とを対応付けて前記手動登録パターン記憶領域に格納する手動登録部と、
前記手動登録部が動作していないときに、前記入力パターンを、前記自動登録パターン記憶領域に登録する自動登録部と、
前記入力加速度パターンと類似した加速度パターンを、前記加速度パターン記憶部から探索し、この入力加速度パターンとの最類似パターンが前記手動登録パターン記憶領域内の加速度パターンである場合には、この最類似パターンに対応する操作内容をこの携帯端末に実行させ、最類似パターンが前記自動登録パターン記憶領域内の加速度パターンである場合には、この入力加速度パターンの入力を無視する比較部、
とを含む携帯端末。
【請求項２】
前記自動登録部は、前記入力加速度パターンが前記自動登録パターン記憶領域内の加速度パターンと類似している場合には、この入力加速度パターンを登録しない、
請求項１に記載の携帯端末。
【請求項３】
前記自動登録部は、前記入力加速度パターンが前記手動登録パターン記憶領域内の加速度パターンと類似している場合には、この入力加速度パターンを登録しない、
請求項１または２に記載の携帯端末。
【請求項４】
前記比較部は、前記入力加速度パターンと類似した加速度パターンと前記入力加速度パターンとの類似度が小の場合には、前記入力加速度パターンを無視する、
請求項１、２または３に記載の携帯端末。
【請求項５】
加速度センサを備えた携帯端末における加速度パターン登録方法であり、
自動登録パターン記憶領域と、加速度パターンと操作内容を示す情報とを蓄積する手動登録パターン記憶領域とを含む加速度パターン記憶部と、加速度パターンと指定された操作内容を示す情報とを対応付けて前記手動登録パターン記憶領域に格納する手動登録機能を備えた携帯端末における加速度パターン登録方法であって、
（Ａ）前記加速度センサから入力加速度パターンを得、
（Ｂ）前記手動登録機能がオフの場合に、前記入力加速度パターンを前記自動登録パターン記憶領域に登録する
ことを特徴とする加速度パターン登録方法。
【請求項６】
前記ステップ（Ｂ）は、前記入力加速度パターンが前記自動動登録パターン記憶領域内の加速度パターンと類似している場合には、この入力加速度パターンを登録しない、
請求項５に記載の加速度パターン登録方法。
【請求項７】
前記ステップ（Ｂ）は、前記入力加速度パターンが前記手動登録パターン記憶領域内の加速度パターンと類似している場合には、この入力加速度パターンを登録しない、
請求項５または６に記載の加速度パターン登録方法。
【請求項８】
加速度センサを備えた携帯端末における加速度パターン比較方法であり、
自動登録パターン記憶領域と、加速度パターンと操作内容を示す情報とを蓄積する手動登録パターン記憶領域とを含む加速度パターン記憶部と、加速度パターンと指定された操作内容を示す情報とを対応付けて前記手動登録パターン記憶領域に格納する手動登録機能を備えた携帯端末における加速度パターン比較方法であって、
（Ａ）前記加速度センサから入力加速度パターンを得、
（Ｂ）この入力加速度パターンと類似した最類似パターンを、前記加速度パターン記憶装置内の加速度パターンから検出し、
（Ｃ）前記最類似パターンが前記手動登録パターン記憶領域内の加速度パターンである場合には、この最類似パターンに対応する操作内容を示す情報を出力し、
（Ｄ）前記最類似パターンが前記自動登録パターン記憶領域内の加速度パターンである場合には操作内容を示す情報を出力しない、
ことを特徴とする加速度パターン比較方法
【請求項９】
前記ステップ（Ｂ）は、前記入力加速度と類似した加速度パターンと前記入力加速度パターンとの類似度が小の場合には、前記最類似パターンを不検出とする
請求項８に記載の加速度パターン比較方法。
【請求項１０】
加速度センサを備え携帯端末に加速度パターン登録処理を実行させるための加速度パターン登録プログラムであり、
自動登録パターン記憶領域と、加速度パターンと操作内容を示す情報とを蓄積する手動登録パターン記憶領域とを含む加速度パターン記憶部と、加速度パターンと指定された操作内容を示す情報とを対応付けて前記手動登録パターン記憶領域に格納する手動登録機能を備えた携帯端末に加速度パターン登録処理を実行させるための加速度パターン登録プログラムであって、
このプログラムは下記（Ａ）、（Ｂ）のステップからなる。
（Ａ）前記加速度センサから入力加速度パターンを得、
（Ｂ）前記手動登録機能がオフの場合に、前記入力加速度パターンを前記自動登録パターン記憶領域に登録する
ことを特徴とする加速度パターン登録方法。
【請求項１１】
前記ステップ（Ｂ）は、前記入力加速度パターンが前記自動動登録パターン記憶領域内の加速度パターンと類似している場合には、この入力加速度パターンを登録しない、
請求項１０に記載の加速度パターン登録プログラム。
【請求項１２】
前記ステップ（Ｂ）は、前記入力加速度パターンが前記手動登録パターン記憶領域内の加速度パターンと類似している場合には、この入力加速度パターンを登録しない、
請求項１０または１１に記載の加速度パターン登録プログラム。
【請求項１３】
加速度センサを備えた携帯端末に加速度パターン比較処理を実行させるための加速度パターン比較プログラムであり、
自動登録パターン記憶領域と、加速度パターンと操作内容を示す情報とを蓄積する手動登録パターン記憶領域とを含む加速度パターン記憶部と、加速度パターンと指定された操作内容を示す情報とを対応付けて前記手動登録パターン記憶領域に格納する手動登録機能を備えた携帯端末に加速度パターン比較処理を実行させるための加速度パターン比較プログラムであって、
前記プログラムは、下記（Ａ）−（Ｄ）のステップからなる。
（Ａ）前記加速度センサから入力加速度パターンを得、
（Ｂ）この入力加速度パターンと類似した最類似パターンを、前記加速度パターン記憶装置内の加速度パターンから検出し、
（Ｃ）前記最類似パターンが前記手動登録パターン記憶領域内の加速度パターンである場合には、この最類似パターンに対応する操作内容を示す情報を出力し、
（Ｄ）前記最類似パターンが前記自動登録パターン記憶領域内の加速度パターンである場合には操作内容を示す情報を出力しない。
【請求項１４】
前記ステップ（Ｂ）は、前記入力加速度と類似した加速度パターンと前記入力加速度パターンとの類似度が小の場合には、前記最類似パターンを不検出とする
請求項１３に記載の加速度パターン比較プログラム。
【発明の詳細な説明】
【技術分野】
【０００１】
本発明は、携帯電話機等の携帯端末に関し、特に加速度センサを備えた携帯端末に関する。
【背景技術】
【０００２】
加速度センサを備えた携帯端末としては、特開２００６−１３９５３７(特許文献１)、特開２００５−１６７７７７（特許文献２）に記載のものが知られている。これらの特許文献１、２に記載の携帯端末は、加速度パターンとそのパターンに対応する操作内容とを記憶したテーブルを内蔵している。この携帯端末の保有者は、その携帯端末を持って、所定の加速度パターンを携帯端末に与えることにより、例えば、留守番電話モードの起動を行うことができる。
【０００３】
また、特許文献２は、このテーブルを追加登録可能とした構成も記載している。この追加登録により、携帯端末所有者は、マニュアル等で説明されている加速度パターンを、忠実に行えなくとも、自分の癖にあった加速度パターンを、携帯端末に登録することができる。即ち、所有者は、容易に再現可能な加速度パターンを携帯端末に与えることにより、携帯端末に所望の機能の起動、停止を行わせることができる。
【０００４】
【特許文献１】特開２００６−１３９５３７
【特許文献２】特開２００５−１６７７７７
【発明の開示】
【発明が解決しようとする課題】
【０００５】
従来の加速度センサを有する携帯端末は、携帯端末所有者の日常生活中の携帯端末の持ち運び等で携帯端末に与えられる加速度パターンにより、携帯端末が誤動作することがある。例えば、日常的な動作により、携帯端末に与えられた加速度パターンが、たまたま、あるゲームを起動する操作に対応する登録加速度パターンと類似している場合を考えてみる。この場合には、このゲームが、所有者の意図に反して、起動される。また、携帯端末が着信音を鳴らしている時に、着信拒否に対応する登録加速度パターンに類似した加速度パターンが、日常的な動作により携帯端末に与えられた場合を考えてみる。この場合には、携帯端末は、所有者の意図とは無関係に、この呼の着信を拒否する。
【０００６】
このような問題を緩和するために、特許文献２に記載された,加速度パターンの追加登録機能を用いることも可能である。即ち、この追加登録機能を用いて、所有者が、日常的な動作により携帯端末に与えられる可能性のある加速度パターンを、無効パターンとして登録し、この無効パターンと類似した加速度パターンが与えられたときは、携帯端末はこの入力加速度パターンを無視する。このような方法を採用すれば、日常的な動作により与えられる加速度パターンにより、携帯端末が所有者の意図に反した動作を行うことを防止できる。しかしながら、所有者が、日常的な動作により携帯端末に与えられる可能性のある加速度パターンを全て登録することは困難である。可能であったとしても、この日常的な動作により携帯端末に与えられる可能性のある加速度パターン追加登録は、所有者にとっては、大きな負担となる。
【０００７】
本発明は、このような問題を解決し、所有者が日常的な動作を行うだけで、携帯端末が、この所有者の意図に反した動作を行うことを防止する技術を提供する。
【課題を解決するための手段】
【０００８】
本発明は、加速度パターン記憶部に誤動作防止用の加速度パターンを格納する自動登録パターン格納領域を設ける。そして、本発明は、加速度パターンの手動登録機能がオフの時に、日常生活中の加速度パターン（例えば、電車や車中、歩行中等の揺れ）を自動的に検出し、この領域に登録する。本発明が適用された携帯端末は、この自動登録パターン格納領域に格納された加速度パターンに類似した加速度パターンが入力された時には、この入力を無視する。
【発明の効果】
【０００９】
本発明が適用された携帯端末は、日常生活中の誤動作要因となる加速度パターンを自動登録する。また、所有者は、加速度パターンの手動登録モードをオフにするという簡単な操作を行うのみで、この自動登録を行うことができる。本発明が適用された携帯端末は、この自動登録パターン格納領域に格納された加速度パターンが与えられた時には、この入力加速度パターンを無視するので、本発明は携帯端末が所有者の意図に反した動作を行うことを防止する。
【発明を実施するための最良の形態】
【００１０】
次に、本発明の実施形態の構成について図面を参照して詳細に説明する。
【００１１】
図１を参照すると、本発明の第１の実施形態は、加速度センサ１０と、加速度情報検出部１１と、加速度パターン手動登録部１２と、加速度パターン自動登録部１３と、加速度パターン記憶部１４と、加速度パターン比較部１５と、携帯電話状態管理部１６と、携帯電話機能制御部１７とからなる。
【００１２】
加速度パターン記憶部１４は、加速度パターン管理テーブルを格納している。このテーブルは、事前登録固定パターン格納領域２０、自動登録パターン格納領域２１及び手動登録パターン格納領域２２の３つを含む。
【００１３】
加速度センサ１０は、携帯電話機に与えられた加速度を測定する。加速度情報検出部１１は、加速度センサ１０から測定値を取得し、加速度パターン情報を出力する。
【００１４】
加速度パターン手動登録部１２は、この加速度パターンを、所有者が指定した操作内容情報と対応付けて、手動登録パターン格納領域２２に、登録する。加速度パターン自動登録部１３は、加速度パターン手動登録部１２の動作がオフの時に、加速度情報検出部１１から得た加速度パターンを、自動登録パターン格納領域２１に、登録する。
【００１５】
加速度パターン比較部１５は、加速度情報検出部１１からの加速度パターンと、加速度パターン記憶部１４内の加速度パターンとを比較する。
【００１６】
携帯電話状態管理部１６は、携帯電話機の状態を管理する。携帯電話機能制御部１７は、携帯電話機全体の動作を制御する。
【００１７】
次に、図１の実施形態の動作について詳細に説明する。なお、加速度パターン手動登録部１２及び加速度パターン比較部１５の内部構成及び動作については、例えば、前述の特許文献２等に記載されているので、詳細な説明は省略される。また、加速度パターン管理テーブル中の事前登録固定パターン格納領域２０には、複数のバイブレータ振動パターン等が、工場出荷時等の製造段階で登録されているものとする。
【００１８】
本実施形態では、加速度パターン手動登録部１２の動作と加速度パターン自動登録部１３の動作は、互いに排他的にオンとなる。すなわち、加速度パターン手動登録部１２の動作がオンの時は、加速度パターン自動登録部１３の動作はオフとなり、加速度パターン手動登録部１２がオフの時は、加速度パターン自動登録部１３はオンとなる。携帯電話状態管理部１６は、この加速度パターン手動登録部１２の動作のオン／オフ状態を、通知している。換言すれば、携帯電話状態管理部１６が、加速度パターン手動登録部１２の動作をオフとする制御信号を出力しているときに、加速度パターン自動登録部１３はオンとなる。
【００１９】
まず、加速度パターン手動登録部が関連する動作につき、説明される。
【００２０】
加速度センサ１０で測定された加速度は、加速度情報検出部１１に供給される。加速度情報検出部１１は、この測定値から、加速度パターンを作成する。加速度パターン手動登録部１２は、この加速度パターンを加速度パターン記憶部１４内の手動登録パターン格納領域２２に登録する。この時、加速度パターン手動登録部１２は、所有者が指定した操作内容を示す情報を、この加速度パターンと対応させて、手動登録パターン格納領域２２に格納する。
【００２１】
例えば、左右に大きく３回（登録パターン１）、上下に３回（登録パターン２）、上下に５回（登録パターン３）等の加速度パターンが、それらに各々対応した操作内容を示す情報とともに、手動登録パターン格納領域２２に格納される。この場合、例えば、電話着信時に、登録パターン１には「受話」、登録パターン２には「マナーモードに移行」、登録パターン３には、「着信拒否」を示す操作内容情報が所有者により入力され、これらの加速度パターンと対応付けられて、手動登録パターン格納領域２２に、格納される。
【００２２】
また、所有者は、これらの登録パターンは、携帯電話機の状態により、異なる動作を行うようにさせることもできる。例えば、所有者は、メール受信時には、登録パターン１には「メール開封」、登録パターン２には「返信メール起動」、登録パターン３には、「メール削除」と指定することもできる。この場合には、加速度パターン手動登録部１２は、この操作内容の前提条件を示す情報も、加速度パターン、操作内容情報と共に、手動登録パターン格納領域に格納する。
【００２３】
また、目覚まし時計のアラーム鳴動時は、事前登録固定パターン格納領域２0および、自動登録パターン格納領域２１以外に登録された加速度パターン以外のパターンについては、「アラーム停止」とする旨の操作内容を示す情報を、更に付加することもできる。この設定が行われると、既に、手動登録パターン格納領域に格納されている全ての登録パターンに対して、前提条件として「目覚まし時計のアラーム鳴動時」、操作内容情報として「アラーム停止」が、追加登録される。
【００２４】
次に、加速度パターン自動登録部１３が関連する動作につき、説明される。
【００２５】
加速度パターン手動登録部がオフの場合、加速度パターン自動登録部１３は加速度情報検出部１１からの加速度パターンを加速度パターン記憶部１４の自動登録パターン格納領域２１に登録する。加速度パターン自動登録部１３は、この加速度パターンを、無効パターンとして、自動登録パターン格納領域２１に登録する
なお、本実施形態では、加速度情報検出部１１からの加速度パターンと一致したパターンが、事前登録パターン格納領域２０、手動登録パターン格納領域に格納されている場合には、この登録を行わない。この処理は、すでに他の領域２０、２２に登録されている加速度パターンを、自動登録パターン格納領域２１と他の領域２０、２２に２重に登録されることを防止する。
【００２６】
以上で、本実施形態における、加速度パターン記憶部１４への登録動作の概要説明を終了するが、後に、図２を参照して、より詳細に説明する。
【００２７】
携帯電話機に電話着信やメール受信、目覚まし時計のアラーム鳴動等の状態変化が発生した場合、携帯電話状態管理部１６は、この状態変化を加速度パターン比較部１５に通知する。加速度パターン比較部１５は、この時の加速度パターンを加速度情報検出部１１から取得する。そして、加速度パターン比較部１５は、事前登録固定パターン格納領域２０及び手動登録パターン格納領域２２内の携帯電話状態管理部１６から通知された状態に対応する登録パターンと、自動登録パターン格納領域２１内の全登録パターンを読み出す。次に、加速度パターン比較部１５は、読み出された登録パターンから、加速度情報検出部１１から供給された加速度パターンと一致した最似登録パターンを検出する。そして、加速度パターン比較部１５は、この最類似登録パターンに該当する機能の起動または停止を、携帯電話機能制御部１７に要求する。ただし、入力加速度パターンと一致した最類似登録パターンが、自動登録パターン格納部２１から読み出された加速度パターンである場合には、加速度パターン比較部１５は、携帯電話機能制御部１７に、何の要求も行わせない。
【００２８】
このように、本実施形態は、加速度パターン手動登録部の動作がオフのときに、所有者の日常的な動作により携帯電話機に与えられる加速度パターンを自動収集している。このため、本実施形態は、所有者に手動登録の手間をかけさせること無く、日常的な動作により携帯電話機に与えられる加速度パターンを自動収集する。また、本実施形態は、所有者の意図に反する動作をを防止した、携帯電話機を提供する。
【００２９】
なお、この実施形態では、加速度パターン自動登録部１３は、加速度パターン手動登録部１２の動作がオフの時に、加速度情報検出部１１から供給される全ての加速度パターンを、自動登録パターン格納領域に格納している。本発明では、加速度パターン自動登録部１３に、次のような付加的な動作を行わせる変形例（以下、「第２の実施形態」と称する）も実現可能である。即ち、この第２の実施形態では、加速度パターン自動登録部１３は、加速度情報検出部１１から供給される加速度パターンを、自動登録パターン格納領域に格納する前に、この入力加速度パターンと一致した加速度パターンが自動登録パターン格納領域に既に格納されているか否かを確認する。そして、加速度パターン自動登録部１３は、入力加速度パターンと一致した加速度パターンが既に格納されている場合には、この入力加速度パターンの登録動作を行わない。
【００３０】
一般に、日常的な動作により発生する加速度パターンは、何度も携帯電話機に与えられる多い。このような付加的な動作は、所有者の意図に反した誤動作を防止する能力を低下させることなく、自動登録パターン格納領域の記憶量が不必要に増加することを防止する。
【００３１】
次に、図２のフローチャートを参照して、加速度パターン自動登録部１３の動作を説明する。なお、この図２のフローチャートは、上述した第２の実施形態に対応する。なお、このフローチャートは、加速度パターン自動登録部１３をコンピュータにより実現するためのプログラムのフローチャートでもある。
【００３２】
ステップＳ１において、加速度パターン自動登録部１３（以下、「自動登録部」と略記する）は、図１の携帯電話状態管理部から供給される制御信号に基づいて、加速度パターン手動登録部１２の動作のオン／オフを判定する。加速度パターン手動登録部１２の動作がオンである場合には、自動登録部は、加速度パターン手動登録部１２の動作がオフになるまで、待機する。加速度パターン手動登録部１２の動作がオフになると、自動登録部の動作は、ステップＳ２に進む。
【００３３】
ステップＳ２では、自動登録部は、加速度情報検出部１１から、入力加速度パターンを受け取る。
【００３４】
ステップＳ３では、自動登録部は、入力加速度パターンと同一の加速度パターンが事前登録固定パターン格納領域２０、手動登録パターン格納領域２２あるいは自動登録パターン格納領域２１に格納されているか否かを確認する。このステップＳ３で、この入力加速度パターンと一致する加速度パターンが、いずれかの領域に格納されていることを確認された場合には、自動登録部の動作は、ステップＳ１に戻る。そうでない場合には、自動登録部の動作は、ステップＳ４に進む。
【００３５】
なお、このステップＳ４の処理は、前述した第２の実施形態を、コンピュータに実行させる場合に相当する。前述した第１の実施形態をコンピュータに実行させる場合には、ステップＳ４は、入力加速度パターンと同一の加速度パターンが事前登録固定パターン格納領域２０あるいは手動登録パターン格納領域２２に格納されているか否かを判定する。
【００３６】
ステップＳ４では、自動登録部は、入力加速度パターンを、自動登録パターン格納領域へ格納する。この処理が終了すると、自動登録部の処理は、ステップ１に戻る。
【００３７】
次に、図３を参照して、図１の加速度パターン比較部１５の処理を説明する。なお、このフローチャートは、加速度パターン比較部１５を、コンピュータにより実現するためのプログラムのフローチャートでもある。
【００３８】
ステップＳ１１にて、加速度パターン比較部１５（以下、「比較部」と略記する）は、加速度情報検出部１１から、入力加速度パターンを得る。
【００３９】
ステップＳ１２において、比較部は、事前登録固定パターン格納領域２０及び手動登録パターン格納領域２２内の携帯電話状態管理部１６から通知された状態に対応する登録パターンを読み出す。また、自動登録パターン格納領域２１内の全登録パターンを読み出す。
【００４０】
ステップＳ１３では、比較部１５は、読み出された登録パターンから、入力加速度パターンと一致する最類似パターンを検出する。一致するパターンがない場合には、比較部の処理はステップＳ１１に戻る。そうでない場合には、比較部の処理はステップＳ１４に進む。
【００４１】
ステップＳ１４では、この最類似パターンが自動登録パターン格納領域２２に格納されている加速度パターンであるか否かを判定する。この判定結果がＹＥＳの場合、比較部の処理はステップＳ１１に戻る。この処理により、本発明を適用した携帯端末は、日常的な動作により与えられる加速度パターンを、無視する。
【００４２】
ステップＳ１４での判定結果がＮＯの場合、比較部の処理は、ステップＳ１５に進む。ステップＳ１５では、比較部は、この最類似登録パターンに該当する機能の起動または停止を、携帯電話機能制御部１７に要求する。
【００４３】
ステップＳ１５の処理が終了すると、比較部の処理はステップＳ１１に戻る。
【００４４】
なお、以上では、携帯端末として、携帯電話機を例として、本発明の実施形態を説明したが、本発明は、所有者がそれを手で保持しながら加速度を与えることが可能な携帯端末全般に、適用できることは、当業者には明らかである。
【００４５】
また、以上の実施例では、入力加速度パターンと登録加速度パタ−ンとの一致により、所有者の操作内容指示を解釈していた。これは、加速度情報検出部１１が、加速度センサ１０の測定値を、例えば、「上下に２回」のような加速度パターンに変換して出力していたことによる。本発明では、加速度情報検出部１１が、加速度センサの測定値を、そのまま（あるいは、雑音抑圧処理後に）出力する場合には、登録パターンとの一致判定を、類似度計算により行うようにすることもできる。この変形は、加速度センサ測定値の含まれる雑音あるいは雑音抑圧処理により除去仕切れなかった雑音による、誤動作を抑制する。また、これらの雑音に起因する、図２のステップＳ３での判定誤りを防止する。即ち、自動登録部が、入力加速度パターンが自動登録パターン格納領域に格納済みのパターンと異なると、雑音により誤判定し、自動登録パターン格納領域に不要な加速度パターンの不必要な追加登録をおこなうことを防止する。
【００４６】
このような変形は、加速度センサを備えた携帯端末の動作の信頼性を高める。即ち、上述の実施形態で示した、入力加速度パターンと登録加速度パタ−ンとの一致は、類似度判定の一例にすぎない。
【図面の簡単な説明】
【００４７】
【図１】本発明の一実施形態に関わる携帯電話機の構成例を示すブロック図である。
【図２】図１の加速度パターン自動登録部１３の操作内容を説明するためのフローチャートである。
【図３】図１の加速度パターン比較部１５の操作内容を説明するためのフローチャートである。
【符号の説明】
【００４８】
１０    加速度センサ、
１１    加速度情報検出部、
１２    加速度パターン手動登録部、
１３    加速度パターン自動登録部、
１４    加速度パターン記憶部、
１５    加速度パターン比較部、
１６    携帯電話状態管理部、
１７    携帯電話機能制御部、
２０    事前登録固定パターン格納領域、
２１    自動登録パターン格納領域、
２２    手動登録パターン格納領域２２。
【図１】
2008117056.tif 000003
【図２】
2008117056.tif 000004
【図３】
2008117056.tif 000005